(57)【要約】【課題】  省資源化で素材プラスチックの使用量を少なくしてコストダウンも図り、コンパクトディスクの収納取出しがスムーズで無理な力が加わらず、安全でコンパクトでそのまま保存もできるケースを得る。【解決手段】  ベース１の左右底辺で折合わせ延長した左耳２・右耳３・底耳４がそれぞれ重ならないよう、しかもコンパクトディスク穴通り道５をあけてポケットを構成するため、ベース１底辺角から前記各耳の向合う各辺が角度カットされているが、これに限らず前記各耳は自由な形と大きさにしても良く、底耳４のみベース１と同幅で延長しベース１と左右端で溶融着１１しても良く、さらにベース１天辺で折合わせ延長したベース１と同寸のカバー６が、前記各耳上を覆ってケース全面をカバーし、カバー６天部に背兼インデックス９と下部中心に止めツメ７を設け、前記止めツメ７と噛合うよう底耳４にツメ差込穴８をあけたものである。【選択図】  図１
0003109928.tif 000002
【実用新案登録請求の範囲】
【請求項１】
コンパクトディスクが入る四角形のベース１の左右底辺が折目で、左耳２・右耳３・底耳４が延長されるに当たり、お互い重なることなくコンパクトディスク穴通り道５もあいて、下のベース１をほぼカバーできるように、ベース１底辺角から前記各耳の向合う各辺が角度カットされており、さらにベース１天辺が折目でベース１と同寸のカバー６が延長され、カバー６天部に平行な背折筋１０を入れて背兼インデックス９を設けた上、下部の中心部に止めツメ７が切込まれており、それと噛合うように下で合わさる底耳４にツメ差込穴８をあけたコンパクトディスク封入プラスチックシートケース。
【請求項２】
左耳２・右耳３・底耳４を自由な形と大きさにした、請求項１記載のコンパクトディスク封入プラスチックシートケース。
【請求項３】
底耳４のみをベース１と同幅で延長し、底耳４とベース１の左右端を溶融着１１した、請求項１記載のコンパクトディスク封入プラスチックシートケース。
【考案の詳細な説明】
【考案の詳細な説明】
【技術分野】
【０００１】  本考案は、コンパクトディスクを包装・保存するケースの分野に関する。
【背景技術】
【０００２】  従来のコンパクトディスクの包装・保存ケースとして、箱形のプラスチックケースや、不織布とフィルムを溶融着して袋にした不織布袋が一般的に知られる。
【考案が解決しようとする課題】
【０００３】  従来のプラスチックケースにあっては、プラスチックの使用量が多いので地球資源とコスト高の問題があり、さらに収納取出しの際にコンパクトディスクに力が加わる問題点もあり、また不織布袋は素材が薄いので保護性に欠け、別途収納ケースを必要とする問題点があった。
【０００４】  本考案は、プラスチックの使用量が少なくてすみ、そのままで保存できる保護性を有し、コンパクトディスクの収納取出しがスムーズで力が加わらず、安全でコンパクトなケースを提供することを目的としている。
【課題を解決するための手段】
【０００５】  上記目的を達成するために、本考案のケースにおいては、素材にプラスチックシートを用いたもので、コンパクトディスクが入る四角形のベース１の左右底辺が折目で左耳２・右耳３・底耳４が延長され、下のベース１と折合わすことによって、間にコンパクトディスクを封入できるポケットを構成している。
【０００６】  その際左耳２・右耳３・底耳４が重なることなく、コンパクトディスク穴通り道５をあけてベース１をほぼカバーするため、前記各耳の向合う辺を角度カットしてポケットを構成するものを特筆するが、これに限らず前記各耳を自由な形と大きさにしたものや、底耳４のみベース１と同幅で延長し底耳４とベース１の左右端を溶融着１１して、それぞれポケットを構成することもできる。
【０００７】  そしてこれらのベース１天辺が折目でベース１と同寸のカバー６が延長され、前記各耳の上に折合わせてケースを全面カバーするものである。
【０００８】  さらにカバー６天部に平行な背折筋１０を入れて背兼インデックス９を設け、別途にインデックスシールを用意し貼付することもできる。
【０００９】  さらにカバー６下部の中心部に止めツメ７が切込まれ、それと噛合うように下で合わさる底耳４にツメ差込穴８をあけて、止めツメ７をツメ差込穴８に差込んで噛合わすものである。
【作用】
【００１０】  上記のように構成されたケースの左耳２・右耳３・底耳４をベース１に折合わすとポケットになるので、コンパクトディスクを封入でき、底耳４のみ延長しポケットを構成したものはそのまま封入でき、この際コンパクトディスク穴通り道５をあけた場合は、コンパクトディスク穴に指を差込んでコンパクトディスクを持ったまま、ポケット部のコンパクトディスク穴通り道５に指を通して収納取出しができる。
【００１１】  そしてベース１天辺が折目となって同寸のカバー６が延長されているので、左耳２・右耳３・底耳４の上に折合わすとケース全体を覆うことができ、コンパクトディスクを封じ込めることができる。
【００１２】  さらにカバー６下部に切込まれた止めツメ７を、下に合わさった底耳４のツメ差込穴８に差し込むと、両者が噛合ってカバー６が底耳４にロックされ、ケース全体を封止できる。
【００１３】  またカバー６天部の背折筋１０を少し内折りすると背兼インデックス９が立って、別途用意したインデックスシールを貼付することができ、その上カバー６が内向くので閉まりがよくなる。
【考案を実施するための最良の形態】
【００１４】  考案の実施の形態を実施例にもとづき図面を参照して説明する。
図１において、コンパクトディスクが入る大きさの四角形のベース１の左右底辺が折目となって、左耳２・右耳３・底耳４を延長して設けるに当たり、これらの各耳は、コンパクトディスクの穴に指を差し込んで持つ指が通るコンパクトディスク穴通り道５をあけ、しかも各耳が重ならないようほぼ丁度合わさるようにするため、ベース１底辺角から各耳の合わさる各辺を角度カットしており、その上、左耳２・右耳３の天辺をベース１の天辺より若干下げて、角にアールをつけている。【００１５】  しかし上記に限らず、図２のように左耳２・右耳３・底耳４は、自由な形や大きさにしても良く、また図３のように底耳４のみをベース１と同幅で延長し、底耳４とベース１の左右端を溶融着１１しても良い。【００１６】  さらに図１に示すように、ベース１天辺が折目となって同寸のカバー６を延長し、カバー６天辺から適当幅をとって平行に背折筋１０を入れ、背兼インデックス９をカバー６天部に設けているが、設けなくても良い。【００１７】さらに図１に示すように、カバー６下部の中心部に、天向き円弧の切目で止めツメ７を設け、カバー６を閉じて下に合わさる底耳４の丁度止めツメ７と噛合う位置に、止めツメ７が差込める大きさの棒状のツメ差込穴８をあけているが、止めツメ７とツメ差込穴８は上記の形に限らず、お互い噛合って止まる形であればどのような形でも良く、また設けなくても良い。【００１８】  またこの考案の素材には、０．２ミリ厚位の透明もしくは半透明のプラスチックシートで、内面が梨地のものが適当であるが、これに限らずどのようなプラスチックシートでも良く、また紙や合成紙や不織布等を用いても良く、製造に当たっては図４の展開図一例で示したものをトムソン型抜きで打抜くだけでできる。
【考案の効果】
【００１９】  本考案は、以上説明したように構成されたているので、以下に記載されるような効果を奏する。
【００２０】  薄いプラスチックシートを素材とし、トムソン型抜きで製造できるため、省資源化できる上、低コストでコンパクトなものにできる効果がある。
【００２１】  またベース１と左耳２・右耳３・底耳４でできたポケットにコンパクトディスクを入れた上に、カバー６でケース全体をさらに覆い、止めツメ７をツメ差込穴８に噛合わせて封止するので、コンパクトディスクが脱落することが無く、ホコリも入りにくく、外圧からも保護できる安全な効果がある。
【００２２】  さらにベース１と左耳２・右耳３・底耳４でできたポケットにコンパクトディスク穴通り道５があいたものは、コンパクトディスクを持ったままポケットへの収納・取出しがス厶ーズにできる効果がある。
【００２３】  またケース天部に背兼インデックス９を設けているので、インデックスシールを貼るとファイルの中から検索するのに有効である。
【００２４】  その上、素材が透明もしくは半透明のプラスチックシートなので、収納したコンパクトディスクを全て見透かすことができる効果がある。
【図面の簡単な説明】
【図１】  コンパクトディスク封入プラスチックシートケースの実施例を示す斜視図である。
【図２】  左耳２・右耳３・底耳４を自由な形・大きさにしたコンパクトディスク封入プラスチックシートケースの実施一例を示す斜視図である。
【図３】  底耳４のみを延長したコンパクトディスク封入プラスチックケースの実施例を示す斜視図である。
【図４】  図１に示す実施例の展開図である。
【符号の説明】
１  ベース
２  左耳
３  右耳
４  底耳
５  コンパクトディスク穴通り道
６  カバー
７  止めツメ
８  ツメ差込穴
９  背兼インデックス
１０  背折筋
１１  溶融着
【図１】
0003109928.tif 000003
【図２】
0003109928.tif 000004
【図３】
0003109928.tif 000005
【図４】
0003109928.tif 000006